(57)【特許請求の範囲】
【請求項１】
遊技機（１２）に隣接して玉貸し機（２０）が配置されており、該玉貸し機（２０）の紙幣投入部（２２）に投入された紙幣をスタッカー本体（４０）に収納するようにした紙幣回収装置（３０）において、
前記紙幣回収装置（３０）は、紙幣搬入ガイド（３１）、紙幣搬出レバー（１３２）、紙幣受部材（４２）、紙幣押込レバー（４４）および、シャッター（５１）を備え、
前記紙幣搬入ガイド（３１）は、前記投入された紙幣を搬入位置に案内し、
前記紙幣搬出レバー（１３２）は、回動することにより、前記搬入位置に案内された紙幣に掛止して該紙幣を搬出位置に搬送する動作を繰り返し可能に構成されており、
前記紙幣受部材（４２）は、前記スタッカー本体（４０）の入口と奥部との間の待機位置と、奥部側の押込み位置に移動可能に支持され、前記入口側へ移動する方向へ付勢されており、
前記紙幣押込レバー（４４）は、前記搬出位置に搬送された紙幣を前記待機位置にある紙幣受部材（４２）側に押し付けるとともに、前記紙幣受部材（４２）と共に紙幣を前記待機位置から前記押込み位置に押し込み、
前記シャッター（５１）は、前記紙幣受部材（４２）と共に前記押込み位置へ移動しようとする紙幣を通過可能に、かつ、該通過して、前記紙幣受部材（４２）の付勢力により前記入口側へ移動しようとする紙幣および紙幣受部材（４２）を通過不能にして前記待機位置に拘束することを特徴とする紙幣回収装置（３０）。
【請求項２】
遊技機（１２）を多数並べて遊技機（１２）島が構成され、隣り合う遊技機（１２）の間に玉貸し機（２０）が介装されており、該玉貸し機（２０）の紙幣投入部（２２）に投入された紙幣を遊技機（１２）島の端部に搬送して、遊技機（１２）島の端部に配設されたスタッカー本体（４０）に収納するようにした紙幣回収装置（３０）において、
前記紙幣回収装置（３０）は、紙幣搬入ガイド（３１）および、紙幣搬出手段（１３０）を備え、
前記紙幣搬入ガイド（３１）は、前記投入された紙幣を搬入位置に案内し、
前記紙幣搬出手段（１３０）は、前記搬入位置に案内された紙幣に掛止して該紙幣を搬出位置に搬送する動作を繰り返し可能に構成されており、
前記紙幣搬出手段（１３０）は、搬送用チェーン（１３１）、紙幣搬出レバー（１３２）、押さえレバー（１３３）および、カム部材（１３４）を有し、
前記搬送用チェーン（１３１）は、一対のスプロケット（１３５）に巻き掛けられた無端のチェーンにより構成され、前記スタッカー本体（４０）が配された搬出位置の近傍に延ばされており、
前記紙幣搬出レバー（１３３）は、前記搬入位置に案内された紙幣に掛止可能に前記搬送用チェーン（１３１）に支持されており、
前記押さえレバー（１３３）は、前記紙幣搬出レバー（１３２）側に閉じて紙幣を挟持する閉じ位置と、前記紙幣搬出レバー（１３２）側から開いて紙幣を開放する開き位置とに変位可能に前記搬送用チェーン（１３１）に支持されており、前記押さえレバー（１３３）は、前記紙幣搬出レバー（１３２）側に閉じる方向へ付勢されており、
前記カム部材（１３４）は、前記搬入位置に案内された紙幣を挟持すべく前記押さえレバー（１３３）を付勢力により前記開き位置から前記閉じ位置に変位させる開閉用のカム部（１３６）を有していることを特徴とする紙幣回収装置（３０）。
【請求項３】
遊技機（１２）を多数並べて遊技機島（１２）が構成され、隣り合う遊技機（１２）の間に玉貸し機が介装されており、該玉貸し機（２０）の紙幣投入部（２２）に投入された紙幣を遊技機（１２）島の端部に搬送して、遊技機（１２）島の端部に配設されたスタッカー本体（４０）に収納するようにした紙幣回収装置（３０）において、
前記紙幣回収装置（３０）は、紙幣搬入ガイド（３１）、紙幣搬出手段（１３０）、紙幣受部材（４２）、紙幣押込レバー（４４）および、シャッター（５１）を備え、
前記紙幣搬入ガイド（３１）は、前記投入された紙幣を搬入位置に案内し、
前記紙幣搬出手段（１３０）は、前記搬入位置に案内された紙幣に掛止して該紙幣を搬出位置に搬送する動作を繰り返し可能に構成されており、
前記紙幣受部材（４２）は、前記スタッカー本体（４０）の入口と奥部との間の待機位置と、奥部側の押込み位置に移動可能に支持され、前記入口側へ移動する方向へ付勢されており、
前記紙幣押込レバー（４４）は、前記搬出位置に搬送された紙幣を前記待機位置にある紙幣受部材（４２）側に押し付けるとともに、前記紙幣受部材（４２）と共に紙幣を前記待機位置から前記押込み位置に押し込み、
前記シャッター（５１）は、前記紙幣受部材（４２）と共に前記押込み位置へ移動しようとする紙幣を通過可能に、かつ、該通過して、前記紙幣受部材（４２）の付勢力により前記入口側へ移動しようとする紙幣および紙幣受部材（４２）を通過不能にして前記待機位置に拘束し、
前記紙幣搬出手段（１３０）は、搬送用チェーン（１３１）、紙幣搬出レバー（１３２）、押さえレバー（１３３）および、カム部材（１３４）を有し、
前記搬送用チェーン（１３１）は、一対のスプロケット（１３５）に巻き掛けられた無端のチェーンにより構成され、前記スタッカー本体（４０）が配された搬出位置の近傍に延ばされており、
前記紙幣搬出レバー（１３２）は、前記搬入位置に案内された紙幣に掛止可能に前記搬送用チェーン（１３１）に支持されており、
前記押さえレバー（１３３）は、前記紙幣搬出レバー（１３２）側に閉じて紙幣を挟持する閉じ位置と、前記紙幣搬出レバー（１３２）側から開いて紙幣を開放する開き位置とに変位可能に前記搬送用チェーン（１３１）に支持されており、前記押さえレバー（１３３）は、前記紙幣搬出レバー（１３２）側に閉じる方向へ付勢されており、
前記カム部材（１３４）は、前記搬入位置に案内された紙幣を挟持すべく前記押さえレバー（１３３）を付勢力により前記開き位置から前記閉じ位置に変位させる開閉用のカム部（１３６）を有していることを特徴とする紙幣回収装置（３０）。
【請求項４】
前記紙幣搬出レバー（１３２）は、紙幣に掛止可能な起立姿勢と、倒伏姿勢とに起倒可能に前記搬送用チェーン（１３１）に支持されており、
前記カム部材（１３４）は、前記スタッカー本体（４０）側から戻る搬送用チェーン（１３１）の戻り側では、前記押さえレバー（１３３）の付勢力に抗して、前記紙幣搬出レバー（１３２）を前記起立姿勢から前記倒伏姿勢に倒伏させる倒伏用のカム部（１３７）を有していることを特徴とする請求項２または３記載の紙幣回収装置（３０）。
【発明の詳細な説明】
【０００１】
【発明の属する技術分野】
本発明は、遊技機に隣接して玉貸し機が配置されており、該玉貸し機の紙幣投入部に投入された紙幣をスタッカー本体に収納するようにした紙幣回収装置に関する。
【０００２】
【従来の技術】
従来の紙幣回収装置としては、例えば、多数の遊技機を並べて遊技機島が構成され、隣り合う遊技機の間に玉貸し機が介装され、遊技機島の内部に紙幣回収装置が設けられ、紙幣回収装置は、遊技機島内部に張られるベルトと、そのベルトを挟むように取り付けられる一対の搬送ローラーとを有しており、その搬送ローラーが紙幣をベルトに押付けて、紙幣が一定方向に搬送されるように成っている。遊技機島の玉貸し機の識別機でその真偽の識別がされた紙幣を、紙幣回収装置に送込むためにチュート装置が必要となっている。また、このチュート装置を駆動するための動力も必要になっている。
【０００３】
【発明が解決しようとする課題】
しかしながら、このような従来の紙幣回収装置では、チュート装置用の動力を得るために、ベルトに動力用のローラーを押付けて回転駆動可能にし、動力用のローラーの回転力を動力伝達用のベルトで取り出すというような複雑な機構が必要になり、また、動力用のローラーは、強い力でベルトと接触する必要があり、反対側にも同じ力で押し返す押返ローラーが必要なため、玉貸し機が表裏同じ位置にある場合は押返ローラーの取付は比較的容易であるが、同じ位置にない場合は押返ローラーの取付は非常に難しく、組立工数が大幅にかかり、コストが嵩む。
【０００４】
一方、最近の遊技機島のように、玉貸し機以外に種々な装置が遊技機の横に付くようになると、玉貸し機の位置は完全にずれてしまい、表裏同じ位置に玉貸し機を設置するのが非常に難しい状態になっている。また、チュート装置自体の取り付け位置が一定していないので、動力用のローラーおよび、押返ローラー相互の位置においても寸法合わせが必要であり、組立工数がさらにかかり、コストが嵩むという問題点があった。
【０００５】
本発明は、このような従来の問題点に着目してなされたもので、遊技機島における玉貸し機の位置に関係なく、簡易な構成により紙幣を回収可能にして、コストを低減することができるようにした紙幣回収装置を提供することを目的としている。
【０００７】
【課題を解決するための手段】
かかる目的を達成するための本発明の要旨とするところは、次の各項の発明に存する。
［１］遊技機（１２）に隣接して玉貸し機（２０）が配置されており、該玉貸し機（２０）の紙幣投入部（２２）に投入された紙幣をスタッカー本体（４０）に収納するようにした紙幣回収装置（３０）において、
前記紙幣回収装置（３０）は、紙幣搬入ガイド（３１）、紙幣搬出レバー（１３２）、紙幣受部材（４２）、紙幣押込レバー（４４）および、シャッター（５１）を備え、
前記紙幣搬入ガイド（３１）は、前記投入された紙幣を搬入位置に案内し、
前記紙幣搬出レバー（１３２）は、回動することにより、前記搬入位置に案内された紙幣に掛止して該紙幣を搬出位置に搬送する動作を繰り返し可能に構成されており、
前記紙幣受部材（４２）は、前記スタッカー本体（４０）の入口と奥部との間の待機位置と、奥部側の押込み位置に移動可能に支持され、前記入口側へ移動する方向へ付勢されており、
前記紙幣押込レバー（４４）は、前記搬出位置に搬送された紙幣を前記待機位置にある紙幣受部材（４２）側に押し付けるとともに、前記紙幣受部材（４２）と共に紙幣を前記待機位置から前記押込み位置に押し込み、
前記シャッター（５１）は、前記紙幣受部材（４２）と共に前記押込み位置へ移動しようとする紙幣を通過可能に、かつ、該通過して、前記紙幣受部材（４２）の付勢力により前記入口側へ移動しようとする紙幣および紙幣受部材（４２）を通過不能にして前記待機位置に拘束することを特徴とする紙幣回収装置（３０）。
【０００８】
［２］遊技機（１２）を多数並べて遊技機（１２）島が構成され、隣り合う遊技機（１２）の間に玉貸し機（２０）が介装されており、該玉貸し機（２０）の紙幣投入部（２２）に投入された紙幣を遊技機（１２）島の端部に搬送して、遊技機（１２）島の端部に配設されたスタッカー本体（４０）に収納するようにした紙幣回収装置（３０）において、
前記紙幣回収装置（３０）は、紙幣搬入ガイド（３１）および、紙幣搬出手段（１３０）を備え、
前記紙幣搬入ガイド（３１）は、前記投入された紙幣を搬入位置に案内し、
前記紙幣搬出手段（１３０）は、前記搬入位置に案内された紙幣に掛止して該紙幣を搬出位置に搬送する動作を繰り返し可能に構成されており、
前記紙幣搬出手段（１３０）は、搬送用チェーン（１３１）、紙幣搬出レバー（１３２）、押さえレバー（１３３）および、カム部材（１３４）を有し、
前記搬送用チェーン（１３１）は、一対のスプロケット（１３５）に巻き掛けられた無端のチェーンにより構成され、前記スタッカー本体（４０）が配された搬出位置の近傍に延ばされており、
前記紙幣搬出レバー（１３２）は、前記搬入位置に案内された紙幣に掛止可能に前記搬送用チェーン（１３１）に支持されており、
前記押さえレバー（１３３）は、前記紙幣搬出レバー（１３２）側に閉じて紙幣を挟持する閉じ位置と、前記紙幣搬出レバー（１３２）側から開いて紙幣を開放する開き位置とに変位可能に前記搬送用チェーン（１３１）に支持されており、前記押さえレバー（１３３）は、前記紙幣搬出レバー（１３２）側に閉じる方向へ付勢されており、
前記カム部材（１３４）は、前記搬入位置に案内された紙幣を挟持すべく前記押さえレバー（１３３）を付勢力により前記開き位置から前記閉じ位置に変位させる開閉用のカム部（１３６）を有していることを特徴とする紙幣回収装置（３０）。
【０００９】
［３］遊技機（１２）を多数並べて遊技機（１２）島が構成され、隣り合う遊技機（１２）の間に玉貸し機（２０）が介装されており、該玉貸し機（２０）の紙幣投入部（２２）に投入された紙幣を遊技機（１２）島の端部に搬送して、遊技機（１２）島の端部に配設されたスタッカー本体（４０）に収納するようにした紙幣回収装置（３０）において、
前記紙幣回収装置（３０）は、紙幣搬入ガイド（３１）、紙幣搬出手段（１３０）、紙幣受部材（４２）、紙幣押込レバー（４４）および、シャッター（５１）を備え、
前記紙幣搬入ガイド（３１）は、前記投入された紙幣を搬入位置に案内し、
前記紙幣搬出手段（１３０）は、前記搬入位置に案内された紙幣に掛止して該紙幣を搬出位置に搬送する動作を繰り返し可能に構成されており、
前記紙幣受部材（４２）は、前記スタッカー本体（４０）の入口と奥部との間の待機位置と、奥部側の押込み位置に移動可能に支持され、前記入口側へ移動する方向へ付勢されており、
前記紙幣押込レバー（４４）は、前記搬出位置に搬送された紙幣を前記待機位置にある紙幣受部材（４２）側に押し付けるとともに、前記紙幣受部材（４２）と共に紙幣を前記待機位置から前記押込み位置に押し込み、
前記シャッター（５１）は、前記紙幣受部材（４２）と共に前記押込み位置へ移動しようとする紙幣を通過可能に、かつ、該通過して、前記紙幣受部材（４２）の付勢力により前記入口側へ移動しようとする紙幣および紙幣受部材（４２）を通過不能にして前記待機位置に拘束し、
前記紙幣搬出手段（１３０）は、搬送用チェーン（１３１）、紙幣搬出レバー（１３２）、押さえレバー（１３３）および、カム部材（１３４）を有し、
前記搬送用チェーン（１３１）は、一対のスプロケット（１３５）に巻き掛けられた無端のチェーンにより構成され、前記スタッカー本体（４０）が配された搬出位置の近傍に延ばされており、
前記紙幣搬出レバー（１３２）は、前記搬入位置に案内された紙幣に掛止可能に前記搬送用チェーン（１３１）に支持されており、
前記押さえレバー（１３３）は、前記紙幣搬出レバー（１３２）側に閉じて紙幣を挟持する閉じ位置と、前記紙幣搬出レバー（１３２）側から開いて紙幣を開放する開き位置とに変位可能に前記搬送用チェーン（１３１）に支持されており、前記押さえレバー（１３３）は、前記紙幣搬出レバー（１３２）側に閉じる方向へ付勢されており、
前記カム部材（１３４）は、前記搬入位置に案内された紙幣を挟持すべく前記押さえレバー（１３３）を付勢力により前記開き位置から前記閉じ位置に変位させる開閉用のカム部（１３６）を有していることを特徴とする紙幣回収装置（３０）。
【００１０】
［４］前記紙幣搬出レバー（１３２）は、紙幣に掛止可能な起立姿勢と、倒伏姿勢とに起倒可能に前記搬送用チェーン（１３１）に支持されており、
前記カム部材（１３４）は、前記スタッカー本体（４０）側から戻る搬送用チェーン（１３１）の戻り側では、前記押さえレバー（１３３）の付勢力に抗して、前記紙幣搬出レバー（１３２）を前記起立姿勢から前記倒伏姿勢に倒伏させる倒伏用のカム部（１３７）を有していることを特徴とする［２］または［３］記載の紙幣回収装置（３０）。
【００１３】
［１］項記載の紙幣回収装置では、
紙幣が搬出位置に搬送されたとき、紙幣受部材（４２）は、スタッカー本体（４０）の入口と奥部との間の待機位置にあり、紙幣押込レバー（４４）はスタッカー本体（４０）から離れた位置にある。
【００１４】
次に、紙幣押込レバー（４４）は、搬出位置に搬送された紙幣を待機位置にある紙幣受部材（４２）側に押し付けるとともに、紙幣受部材（４２）と共に紙幣を待機位置から押込み位置に押し込む。このとき、シャッター（５１）は、紙幣受部材（４２）と共に前記押込み位置へ移動しようとする紙幣を通過させる。
【００１５】
次に、紙幣押込レバー（４４）が原位置に戻ろうとすると、紙幣受部材（４２）がスタッカー本体（４０）の入口側へ戻る方向へ付勢されてるため、紙幣も入口側へ戻ろうとする。このとき、シャッター（５１）が入口側へ戻ろうとする紙幣および紙幣受部材（４２）を通過不能にして前記待機位置に拘束する。それにより、紙幣受部材（４２）上に押し込まれた紙幣が積み重なるようになる。
【００１６】
紙幣搬出レバー（１３２）の搬送動作の繰り返し、および、紙幣押込レバー（４４）の押込み動作の繰り返しにより、紙幣がスタッカー本体（４０）の内部に積み重ねられた状態で収納されるようになり、チュート装置などが不要になり、簡単な構成で、紙幣の搬送処理ができる。
【００１７】
［２］項記載の紙幣回収装置（３０）では、
搬入位置に搬入された紙幣を搬出位置に搬送するための紙幣搬出手段（１３０）は、搬送用チェーン（１３１）、紙幣搬出レバー（１３２）、押さえレバー（１３３）および、カム部材（１３４）を有している。
【００１８】
搬送用チェーン（１３１）が駆動すると、搬送用チェーン（１３１）に支持された紙幣搬出レバーが、搬入位置に案内された紙幣に掛止するとともに、押さえレバー（１３３）が付勢力により開き位置から閉じ位置に変位して、紙幣搬出レバーと押さえレバー（１３３）とが搬入位置に案内された紙幣を挟持する。それにより、紙幣は、安定して搬出位置に搬送される。
【００１９】
紙幣搬出レバー（１３２）の搬送動作の繰り返しにより、紙幣が確実に搬出位置に送られるようになり、チュート装置などが不要になり、簡単な構成で、紙幣の搬送処理ができる。
【００２０】
また、搬送用チェーン（１３１）を設けることにより、遊技機（１２）島が長い場合でも、紙幣の搬送処理ができる。長い距離を紙幣搬出レバー（１３２）のみが紙幣を引っ掛けて搬送すると、搬送途中で紙幣がずれて安定性を失うおそれがあるので、紙幣のずれを防止するために押さえレバー（１３３）が取付けられており、紙幣搬出レバー（１３２）に引っ掛けた紙幣を紙幣搬出レバー（１３２）と押さえレバー（１３３）とにより挟んでずれないようにすることができる。
【００２１】
［３］項記載の紙幣回収装置（３０）では、
紙幣が搬出位置に搬送されると、紙幣がスタッカー本体（４０）側に受け渡される。
紙幣が搬出位置に搬送されると、カム部材（１３４）が付勢力に抗して押さえレバー（１３３）を、閉じ位置から開き位置に変位させ、押さえレバー（１３３）が、紙幣搬出レバー（１３２）側から開いて、紙幣が開放されるようにしてもよい。
【００２２】
紙幣が搬出位置に搬送されたとき、紙幣受部材（４２）は、スタッカー本体（４０）の入口と奥部との間の待機位置にあり、紙幣押込レバー（４４）はスタッカー本体（４０）から離れた位置にある。
【００２３】
次に、紙幣押込レバー（４４）は、搬出位置に搬送された紙幣を待機位置にある紙幣受部材（４２）側に押し付けるとともに、紙幣受部材（４２）と共に紙幣を待機位置から押込み位置に押し込む。このとき、シャッター（５１）は、紙幣受部材（４２）と共に前記押込み位置へ移動しようとする紙幣を通過させる。
【００２４】
次に、紙幣押込レバー（４４）が原位置に戻ろうとすると、紙幣受部材（４２）がスタッカー本体（４０）の入口側へ戻る方向へ付勢されてるため、紙幣も入口側へ戻ろうとする。このとき、シャッター（５１）が入口側へ戻ろうとする紙幣および紙幣受部材（４２）を通過不能にして前記待機位置に拘束する。それにより、紙幣受部材（４２）上に押し込まれた紙幣が積み重なるようになる。
【００２５】
紙幣搬出レバー（１３２）の搬送動作の繰り返し、および、紙幣押込レバー（４４）の押込み動作の繰り返しにより、紙幣がスタッカー本体（４０）の内部に積み重ねられた状態で収納されるようになり、チュート装置などが不要になり、簡単な構成で、紙幣の搬送処理ができる。
【００２６】
また、搬送用チェーン（１３１）を設けることにより、遊技機（１２）島が長い場合でも、紙幣の搬送処理ができる。長い距離を紙幣搬出レバー（１３２）のみが紙幣を引っ掛けて搬送すると、搬送途中で紙幣がずれて安定性を失うおそれがあるので、紙幣のずれを防止するために押さえレバー（１３３）が取付けられており、紙幣搬出レバー（１３２）に引っ掛けた紙幣を紙幣搬出レバー（１３２）と押さえレバー（１３３）とにより挟んでずれないようにすることができる。
【００２７】
［４］項記載の紙幣回収装置（３０）では、
カム部材（１３４）の倒伏用のカム部（１３７）が、スタッカー本体（４０）側から戻る搬送用チェーン（１３１）の戻り側で、押さえレバー（１３３）の付勢力に抗して、紙幣搬出レバー（１３２）を起立姿勢から倒伏姿勢に倒伏させるので、紙幣搬出レバー（１３２）を不必要に起立姿勢にしないで、紙幣搬出手段（１３０）を小型にすることができる。
【００２８】
【発明の実施の形態】
以下、図面に基づき本発明の第１実施の形態を説明する。
図１〜図１１は本発明の第１実施の形態を示している。
図１は、本発明の第１実施の形態に係る紙幣回収装置の背面図である。図２は、同じく遊技機島の背面図である。図３は、同じく遊技機島の側面図である。図４は、同じく紙幣回収装置の側面図である。
【００２９】
図１から図４に示すように、本遊技機島１０は、１台の遊技機１２から構成される単島であり、遊技機１２に玉貸し機２０が隣接して設置されている。玉貸し機２０の奥部には紙幣回収装置３０が配設されている。
【００３０】
玉貸し機２０は、紙幣を投入する紙幣挿入口が開設された紙幣投入部２２および、紙幣の真偽を判別する紙幣識別部２３を有している。紙幣識別部２３に連続して、紙幣を横長の紙面を略垂直にした状態で搬入位置に案内するための紙幣搬入ガイド３１が設けられている。紙幣搬入ガイド３１の側方には紙幣を収納するためのスタッカー本体４０が設けられている。紙幣搬入ガイド３１の終端には紙幣が搬入位置に搬入されたことを検出するための紙幣検出センサ（図示省略）が設けられている。
【００３１】
紙幣の長手方向の中央部を掛止して紙幣を搬入位置から横長の紙面を水平にした状態でスタッカー本体４０側の搬出位置に搬出するための紙幣搬入レバー３２は、搬入位置および搬出位置を含む回転軌道を描くように軸支されている。紙幣搬入レバー３２の基端部３２ａが駆動モータ３３に連結されている。
【００３２】
スタッカー本体４０の側壁には紙幣搬入レバー３２の回転を確保するための開口４１が形成されている。スタッカー本体４０内には、紙幣受部材４２は、スタッカー本体の上部である入口と下部である奥部との間の待機位置と、奥部側の押込み位置に移動可能に支持されている。紙幣受部材４２の下方には圧縮ばね４３が配され、圧縮ばね４３により、紙幣受部材４２が戻る方向（上方）へ付勢されている。
【００３３】
紙幣押込レバー４４は、搬出位置に搬送された紙幣を待機位置にある紙幣受部材４２側に押し付けるとともに、紙幣受部材４２と共に紙幣を待機位置から押込み位置に押し込むものであり、紙幣押込レバー４４の両端部がスタッカー本体４０の正面壁および背面壁の案内溝４０ａに上下移動可能に案内支持されている。
【００３４】
スタッカー本体４０の正面壁および背面壁には、上下一対の案内プーリ４５がそれぞれ支持され、一対の案内プーリ４５にベルト４６が巻き掛けられ、正面側のベルト４６が紙幣押込レバー４４の正面側の端部に係着され、背面側のベルト４６が紙幣押込レバー４４の背面側の端部に係着されている。また、上側の案内プーリ４５は、ベルト４７で正逆モータ４８に連結されている。
【００３５】
シャッター５１は、紙幣受部材４２と共に押込み位置へ移動しようとする紙幣を通過可能に、かつ、通過して圧縮ばね４３の付勢力により上方へ戻ろうとする紙幣および紙幣受部材４２を通過不能にして待機位置に拘束するものである。シャッター５１は、長尺の平板形状に成形され、その側縁部がスタッカー本体４０の両側壁の内壁側に支持されている。シャッター５１は、水平姿勢と垂下姿勢とに揺動可能に枢着され、水平姿勢に揺動する方向に付勢されている。
【００３６】
次に作用を説明する。
紙幣搬入レバー３２は、図８に示す位置に停止している。玉貸し機２０の紙幣投入部２２に紙幣が投入され、紙幣識別部２３が紙幣を真と判断すると、紙幣が紙幣搬入ガイド３１に案内され、搬入位置にセットされる。紙幣検出センサ（図示省略）が搬入位置にセットされた紙幣を検出すると、駆動モータ３３が回動し、紙幣搬出レバー３２が回動し、図９に示す位置に回動した時、紙幣押込レバー４４が下降を開始し、図１０に示す位置に回動したときに、紙幣押込レバー４４が紙幣を押し込み開始する。
【００３７】
紙幣押込レバー４４は、紙幣を待機位置の紙幣受部材４２に押し付け、さらに、圧縮ばね４３の付勢力に抗して、紙幣および紙幣受部材４２を押込み位置に押し込む（図５および図６参照）。
【００３８】
紙幣受部材４２がシャッター５１を通過するとき、図５に示すように、紙幣受部材４２の縁部がシャッター５１に引っ掛かって、撓んだ状態になって通過する。紙幣がシャッター５１を完全に通過すると、図６に示すように、撓んだ状態から平らな状態に戻る。
【００３９】
さらに、紙幣搬入レバー３２が回動し、紙幣押込レバー４４が元の位置に上昇を開始すると、紙幣および紙幣受部材４２は、圧縮ばね４３の付勢力により上昇し、やがて、シャッター５１に当接して、拘束され、紙幣はシャッター５１と紙幣受部材４２とに挟まれた状態でスタッカー本体４０内に収納される（図７参照）。
【００４０】
このような動作が繰り返されることで、紙幣が積み重なって束になり、束ねられた紙幣は、ワンタッチでスタッカー本体４０から取り出し回収がすることができる。また、図１１（ａ）〜（ｃ）に示すように、シャッター５１は、紙幣が重なって通過する際には、付勢力に抗して揺動し、通過した後に付勢力により復帰するようになる。
【００４１】
本実施の形態に係る紙幣回収装置では、部品点数も少なく、簡単な構成になり、コストを低減することができる。
次に、本発明に係る第２実施の形態について説明する。図１２〜図２１は、本発明に係る第２実施の形態を示している。
【００４２】
図１２は、本発明の第２実施の形態に係る遊技機島の背面図である。図１３は、同じく遊技機島の側面図である。図１４は同じく遊技機島の平面図である。図１５は同じく紙幣回収装置の背面図である。図１６は同じく紙幣回収装置の平面図である。図１７は同じく搬送用チェーンの部分背面図である。図１８は同じく搬送用チェーンの部分平面図である。
【００４３】
第２実施の形態では、単島に対して長い遊技機島１０に適用したものであり、図１２〜図１８に示すように、遊技機１２が多数並べられ、隣り合う遊技機１２の間には玉貸し機２０が介装されている。遊技機島１０の一端部には、スタッカー本体４０が配されている。
【００４４】
スタッカー本体４０の構成は、第１実施の形態とほぼ同じ構成であり、以下、紙幣を搬入位置から搬出位置へ搬送するための紙幣搬出手段１３０を中心に説明する。
【００４５】
紙幣搬出手段１３０は、搬送用チェーン１３１、紙幣搬出レバー１３２、押さえレバー１３３および、カム部材１３４を有している。搬送用チェーン１３１は、一対のスプロケット１３５に巻き掛けられた無端のチェーンにより構成され、遊技機島１０の一端部（スタッカー本体４０が配されている）近傍からその他端部近傍に延ばされている。
【００４６】
紙幣搬出レバー１３３は、前記搬入位置に案内された紙幣に掛止可能に搬送用チェーン１３１にその複数が支持されている。各押さえレバー１３３は、搬送用チェーン１３１から立ち上がった起立姿勢と、搬送用チェーン１３１に沿って倒れた倒伏姿勢とに揺動可能に支持されている。
【００４７】
押さえレバー１３３は、紙幣搬出レバー１３２と対に成っていて、紙幣搬出レバー１３２側に閉じて紙幣を挟持する閉じ位置と、紙幣搬出レバー１３２側から開いて紙幣を開放する開き位置とに変位可能に搬送用チェーン１３１に支持されている。また、押さえレバー１３３は、紙幣搬出レバー１３２側に閉じる方向へ付勢されており、その付勢力により、押さえレバー１３３は紙幣搬出レバー１３２を起立姿勢に起き上がらせようとする。
【００４８】
カム部材１３４は、搬送用チェーン１３１が包囲する内部空間に配され、開閉用のカム部１３６および、倒伏用のカム部１３７を有している。開閉用のカム部１３６は、搬送用チェーン１３１の往き側（スタッカー本体４０に進む側）に下方から面していて、押さえレバー１３３の通過経路上に位置していて、紙幣搬出レバー１３２の通過経路からは外れている。
【００４９】
開閉用のカム部１３６は、山部１３６ａと谷部１３６ｂとから成る。押さえレバー１３３は、山部１３６ａでは拘束され、付勢力に抗して開き位置に変位し、搬入位置に搬入された紙幣の下方を通過し、あるいは、搬出位置に搬送された紙幣を開放する。また、押さえレバー１３３は、谷部１３６ｂでは拘束解除され、付勢力により閉じ位置に変位し、搬入位置に案内された紙幣を挟持する。押さえレバー１３３は、山部１３６ａに係脱する被係合端１３３ａを有している。
【００５０】
カム部材１３４の倒伏用のカム部１３７は、搬送用チェーン１３１の戻り側（スタッカー本体４０から戻る側）に上方から面していて、押さえレバー１３３の付勢力に抗して、紙幣搬出レバー１３２を起立姿勢から倒伏姿勢に倒伏させる。紙幣搬出レバー１３２は倒伏用のカム部１３７上を摺動する被押動端１３２ａを有している。
【００５１】
また、図１４に示すように、表裏の遊技機島１０の各玉貸し機２０から、紙幣搬入ガイド３１が搬送用チェーン１３１の搬送経路上の各搬入位置に延ばされている。それにより、一つの紙幣搬出手段１３０により、表裏の遊技機島１０の各玉貸し機２０からの投入紙幣の回収処理が可能になる。
【００５２】
次に、図１５および図１９を用いて第２実施の形態の作用を説明する。
紙幣を搬入位置に搬入する動作および、紙幣をスタッカー本体４０に収納する動作は、第１実施の形態とほぼ同じであり、省略する。
【００５３】
搬送用チェーン１３１の往き側において、押さえレバー１３３は、閉じ位置にあって紙幣搬出レバー１３２を起こしていて、紙幣搬出レバー１３２は起立姿勢にある。
【００５４】
搬入位置の手前では、押さえレバー１３３の被係合端１３３ａが開閉用のカム部１３６の山部１３６ａに乗り上がって、押さえレバー１３３は、開き位置に揺動し、搬入位置に搬入された紙幣の下側を通過する。搬入位置を通過すると、押さえレバー１３３の被係合端１３３ａが開閉用のカム部１３６の山部１３６ａから外れ、谷部１３６ｂから拘束されなくなり、押さえレバー１３３が閉じ位置に揺動して、起立姿勢にある紙幣搬出レバー１３２が引っかけた紙幣を紙幣搬出レバー１３２と押さえレバー１３３とで挟むようになる。紙幣は、挟まれた安定した状態でずれることなくスタッカー本体４０側の搬出位置に搬送される。
【００５５】
この搬送時、紙幣は紙幣の長手方向の中央を挟んだ状態でその両端部を後方に反らせた二つ折り状態になる。この様にして、紙幣の搬送中、前方に搬入位置があると、同様に、押さえレバー１３３が開き位置に揺動し、その搬入位置を通過すると再び閉じ位置に揺動する。各搬入位置に紙幣が搬入されているか否かに関係なく、この開閉動作を繰り返す。それにより、各搬入位置に存在する紙幣を回収していく。
【００５６】
紙幣を搬出位置に移動し、前述した第１実施の形態の動作とほぼ同じ動作で、紙幣をスタッカー本体４０側に渡す。搬送用チェーン１３１の戻り側では、紙幣搬出レバー１３２の被押動端１３２ａが倒伏用のカム部１３７に乗り上がって、起立姿勢から倒伏姿勢に倒れる。このとき、押さえレバー１３３も付勢力に抗して開き位置に揺動する。すなわち、紙幣搬出レバー１３２および、押さえレバー１３３は、倒れた状態で送られる。搬送用チェーン１３１の戻り側の終端（スプロケット付近）では紙幣搬出レバー１３２は、起立姿勢に復帰する。
【００５７】
本第２実施の形態では、表裏の遊技機島１０の各玉貸し機２０が、表裏でどのような位置ずれ関係にあっても、玉貸し機２０の各搬入位置が、搬送用チェーン１３１の搬送経路上で異なるだけであり、表裏の遊技機島１０の各玉貸し機２０からの投入紙幣を問題なく回収可能である。
【００５８】
次に、図２０および図２１に基づき本第２実施の形態の作用を説明する。
図２０において、搬送用チェーン１３１の作動中に、位置検出センサ（図示省略）が紙幣搬出レバー１３２が搬入位置の手前の所定位置に移動したかを繰り返し判断する（ステップＳ１０１）。紙幣搬出レバー１３２が所定位置に移動すると、紙幣識別部２３が作動中かを判断し（ステップＳ１０２）、紙幣識別部２３が作動中でなければ、搬送用チェーン１３１は停止することなく、作動を継続し（ステップＳ１０３）、やがて、押さえレバー１３３の被係合端１３３ａが開閉用のカム部１３６の山部１３６ａに乗り上がって、押さえレバー１３３は、開き位置に揺動し（ステップＳ１０４）、搬入位置に紙幣が搬入していれば、その紙幣の下側を通過し、通過すると、押さえレバー１３３の被係合端１３３ａが開閉用のカム部１３６の山部１３６ａから外れ、谷部１３６ｂから拘束されなくなり、押さえレバー１３３が閉じ位置に揺動し、紙幣が搬入していれば、起立姿勢にある紙幣搬出レバー１３２が紙幣を引っかけ（ステップＳ１０５）、引っかけた紙幣を紙幣搬出レバー１３２と押さえレバー１３３とが挟むようになる（ステップＳ１０６）。
【００５９】
すなわち、搬入位置に紙幣が搬入されているか否かに関係なく、押さえレバー１３３は開閉動作を繰り返し、また、既に紙幣搬出レバー１３２が紙幣を引っかけている場合であっても、紙幣搬出レバー１３２は新たな紙幣を引っかけ、紙幣搬出レバー１３２と押さえレバー１３３とは紙幣を重ねた状態で挟み込むようになる。
【００６０】
一方、ステップＳ１０２において、紙幣識別部２３が作動中であれば、搬送用チェーン１３１が停止し（ステップＳ１０７）、紙幣検出センサ（図示省略）が搬入位置（紙幣搬入ガイド３１の終端位置）に搬入された紙幣を繰り返し検出し（ステップＳ１０８）、紙幣が搬入位置に搬入されれば、搬送用チェーン１３１が作動する（ステップＳ１０３）。
【００６１】
次に、図２１に基づき、搬送用チェーン１３１に２以上の紙幣搬出レバー１３２を支持した場合の作用について説明する。
【００６２】
図２１において、搬送用チェーン１３１の作動中に、位置検出センサ（図示省略）は、紙幣搬出レバー１３２が搬入位置の手前の所定位置に移動したかを繰り返し検出し（ステップＳ２０１）、紙幣搬出レバー１３２が所定位置に移動すると、紙幣識別部２３が作動中かを判断し（ステップＳ２０２）、紙幣識別部２３が作動中でなければ、搬入位置（紙幣搬入ガイド３１の終端位置）に紙幣が搬入開始後であるかを判断し（ステップＳ２０３）、紙幣の搬入開始後でなければ、紙幣の搬入を一時停止する（ステップＳ２０４）。つぎに、紙幣搬出レバー１３２が搬入位置（紙幣搬入ガイド３１の設置位置）を通過したかを判断し（ステップＳ２０５）、紙幣搬出レバー１３２が搬入位置を通過すれば、紙幣の搬入を開始し（ステップＳ２０６）、ステップＳ２０１に戻る。
【００６３】
一方、ステップＳ２０２において、紙幣識別部２３が作動中でなければ、ステップＳ２０８に移行し、あるいは、ステップＳ２０３において、紙幣の搬入が開始された後であれば、紙幣の搬入の終了を繰り返し検出し（ステップＳ２０７）、紙幣の搬入が終了すれば、ステップＳ２０８に移行する。
【００６４】
次に、ステップＳ２０８からステップＳ２１０において、押さえレバー１３３の被係合端１３３ａが開閉用のカム部１３６の山部１３６ａに乗り上がって、押さえレバー１３３は、開き位置に揺動し、搬入位置に紙幣が搬入していれば、その紙幣の下側を通過し、通過すると、押さえレバー１３３の被係合端１３３ａが開閉用のカム部１３６の山部１３６ａから外れ、谷部１３６ｂから拘束されなくなり、押さえレバー１３３が閉じ位置に揺動し、紙幣が搬入していれば、起立姿勢にある紙幣搬出レバー１３２が紙幣を引っかけ、引っかけた紙幣を紙幣搬出レバー１３２と押さえレバー１３３とが挟むようになる。次に、ステップＳ２０１に戻る。
【００６５】
なお、前記実施の形態では、開閉用のカム部１３６が固定式のものを示したが、開閉用のカム部１３６をソレノイドで動かすことにより、搬入位置に紙幣が存在しない所では押さえレバー１３３を、作動させずに通過させることができる。
【００６６】
また、搬送用チェーン１３１の連結軸は一定方向だけについており、そのために搬送用チェーン１３１の曲る方向は２次元に限られるが、該連結軸の軸方向と直交する方向を軸とする新たな連結軸を設けることにより、３次元に曲げられるようになり、変形島への対応が可能となる。
【００６８】
【発明の効果】
請求項１に係る発明によれば、紙幣搬出レバーの搬送動作の繰り返し、および、紙幣押込レバーの押込み動作の繰り返しにより、紙幣がスタッカー本体の内部に積み重ねられた状態で収納されるようになり、チュート装置などが不要になり、簡単な構成で、紙幣の搬送処理ができ、コストを低減することができる。
【００６９】
請求項２に係る発明によれば、玉貸し機がどのような位置にきても、搬送用チェーンに支持された紙幣搬出レバーが紙幣を引っかけ、引っかけられた紙幣を紙幣搬出レバーと押さえレバーとが挟んで安定して遊技機島の端部の搬出位置に搬出するので、遊技機島において、玉貸し機がどのような位置にあっても、紙幣の回収処理に簡単に対応することができる。また、搬送用チェーンを延ばしさえすれば、どのような長い遊技機島でも、容易に対処することができる。
【００７０】
請求項３に係る発明によれば、紙幣搬出レバーの搬送動作の繰り返し、および、紙幣押込レバーの押込み動作の繰り返しにより、紙幣がスタッカー本体の内部に積み重ねられた状態で収納されるようになり、チュート装置などが不要になり、簡単な構成で、紙幣の搬送処理ができ、コストを低減することができる。
【００７１】
請求項４に係る発明によれば、カム部材の倒伏用のカム部が、スタッカー本体側から戻る搬送用チェーンの戻り側で、押さえレバーの付勢力に抗して、紙幣搬出レバーを起立姿勢から倒伏姿勢に倒伏させるので、紙幣搬出レバーを不必要に起立姿勢にしないで、紙幣搬出手段を小型にすることができる。
【図面の簡単な説明】
【図１】本発明の第１実施の形態に係る紙幣回収装置の背面図である。
【図２】本発明の第１実施の形態に係る遊技機島の背面図である。
【図３】本発明の第１実施の形態に係る遊技機島の側面図である。
【図４】本発明の第１実施の形態に係る紙幣回収装置の側面図である。
【図５】本発明の第１実施の形態に係る紙幣回収装置の作用説明図である。
【図６】本発明の第１実施の形態に係る紙幣回収装置の作用説明図である。
【図７】本発明の第１実施の形態に係る紙幣回収装置の作用説明図である。
【図８】本発明の第１実施の形態に係る紙幣回収装置の作用説明図である。
【図９】本発明の第１実施の形態に係る紙幣回収装置の作用説明図である。
【図１０】本発明の第１実施の形態に係る紙幣回収装置の作用説明図である。
【図１１】本発明の第１実施の形態に係るシャッターの作用説明図である。
【図１２】本発明の第２実施の形態に係る遊技機島の背面図である。
【図１３】本発明の第２実施の形態に係る遊技機島の側面図である。
【図１４】本発明の第２実施の形態に係る遊技機島の平面図である。
【図１５】本発明の第２実施の形態に係る紙幣回収装置の背面図である。
【図１６】本発明の第２実施の形態に係る紙幣回収装置の平面図である。
【図１７】本発明の第２実施の形態に係る搬送用チェーンの部分背面図である。
【図１８】本発明の第２実施の形態に係る搬送用チェーンの部分平面図である。
【図１９】本発明の第２実施の形態に係る紙幣回収装置の作用説明図である。
【図２０】本発明の第２実施の形態に係る紙幣回収装置のフロー図である。
【図２１】本発明の第２実施の形態に係る紙幣回収装置のフロー図である。
【符号の説明】
１０…遊技機島
１２…遊技機
２０…玉貸し機
２２…紙幣投入部
２３…紙幣識別部
３０…紙幣回収装置
３１…紙幣搬入ガイド
３２…紙幣搬入レバー
３３…駆動モータ
４０…スタッカー本体
４０ａ…案内溝
４１…開口
４２…紙幣受部材
４３…圧縮ばね
４４…紙幣押込レバー
４５…案内プーリ
４６…ベルト
４７…ベルト
４８…正逆モータ
５１…シャッター
１３０…紙幣搬出手段
１３１…搬送用チェーン
１３２…紙幣搬出レバー
１３２ａ…被押動端
１３３…押さえレバー
１３３ａ…被係合端
１３４…カム部材
１３５…スプロケット
１３６…開閉用のカム部
１３６ａ…山部
１３６ｂ…谷部
１３７…倒伏用のカム部
【図１】
0003773013.tif 000002
【図２】
0003773013.tif 000003
【図３】
0003773013.tif 000004
【図４】
0003773013.tif 000005
【図５】
0003773013.tif 000006
【図６】
0003773013.tif 000007
【図７】
0003773013.tif 000008
【図８】
0003773013.tif 000009
【図９】
0003773013.tif 000010
【図１０】
0003773013.tif 000011
【図１１】
0003773013.tif 000012
【図１２】
0003773013.tif 000013
【図１３】
0003773013.tif 000014
【図１４】
0003773013.tif 000015
【図１５】
0003773013.tif 000016
【図１６】
0003773013.tif 000017
【図１７】
0003773013.tif 000018
【図１８】
0003773013.tif 000019
【図１９】
0003773013.tif 000020
【図２０】
0003773013.tif 000021
【図２１】
0003773013.tif 000022